(57)【要約】【課題】  色再現特性の異なる複数の画像出力装置に対して適切に補正された画像データを効率良く出力することのできる画像データ生成装置及び画像データ生成方法を提供する。【解決手段】  画像を再生する複数の画像出力装置から、それぞれの色再現範囲に対応する情報を取得する色再現範囲情報取得部２６（３７）と、上記色再現範囲情報取得部が取得した情報を保持する色再現範囲情報保持部２５と、複数の色チャンネルを有する画像データを上記色再現範囲情報保持部に保持された複数の色再現範囲に対応する画像データに変換する画像変換部２２と、上記画像変換部にて変換された複数の画像データを一つの画像ファイルとして記憶する画像ファイル記憶部２４と、を備えた画像データ生成装置である。【選択図】    図３
2009177610.tif 000002
【特許請求の範囲】
【請求項１】
画像を再生する複数の画像出力装置から、それぞれの色再現範囲に対応する情報を取得する色再現範囲情報取得部と、
上記色再現範囲情報取得部が取得した情報を保持する色再現範囲情報保持部と、
複数の色チャンネルを有する画像データを上記色再現範囲情報保持部に保持された複数の色再現範囲に対応する画像データに変換する画像変換部と、
上記画像変換部にて変換された複数の画像データを一つの画像ファイルとして記憶する画像ファイル記憶部と、
を備えたことを特徴とする画像データ生成装置。
【請求項２】
上記画像ファイルは、ｓＲＧＢ（Standard RGB）規格に準じた画像データをＥｘｉｆ規格に準じたフォーマットで記録した主画像データと、その他の規格に準じた画像データである副画像データを有することを特徴とする請求項１に記載の画像データ生成装置。
【請求項３】
上記画像出力装置は画像を表示する機能、又は画像を印刷する機能を有することを特徴とする請求項１記載の画像データ生成装置。
【請求項４】
複数の画像出力装置から、色再現範囲情報取得部によりそれぞれの色再現範囲に対応する情報を取得するステップと、
上記色再現範囲情報取得部が取得した情報を色再現範囲情報保持部に保持するステップと、
複数の色チャンネルを有する画像データを、画像変換部により上記色再現範囲情報保持部に保持された複数の色再現範囲に対応する画像データに変換する画像変換ステップと、
上記画像変換部にて変換された複数の画像データを一つの画像ファイルとして画像ファイル記憶部に記憶するステップと、
を備えたことを特徴とする画像データ生成方法。
【発明の詳細な説明】
【技術分野】
【０００１】
本発明は、色再現特性の異なる複数の画像出力装置に対して適切に補正された画像データを効率良く出力することのできる画像データ生成装置及び画像データ生成方法に関する。
【背景技術】
【０００２】
従来、画像出力装置（モニター、プリンタ等）に画像を出力する際、画像出力装置の色再現特性が画像の色特性と異なっていた場合には、著しく異なる色相・彩度の画像が出力されるという問題点があった。  
そこで、画像出力装置の色再現特性を考慮し、画像データの色特性を変換することで、画像出力装置に適した画像とする技術が提案されている。
【０００３】
特許文献１に開示された装置では、ＮＴＳＣやハイビジョン仕様のＲ，Ｇ，Ｂやワークステーションなどの画像表示システムで用いられる表示装置の色特性を含む基本特性値を備えている。これらの中から指定された基本特性値を用いて入力データの色空間内の複数の代表点に対する色調整処理を入力データに施す。そして、これら代表点を印刷するための最も近いＹ，Ｍ，Ｃマッピングデータを記録装置の特性値と色再現モデルから計算することで、画像品質を向上させる。
【特許文献１】特開平７−１７７３６７号公報
【発明の開示】
【発明が解決しようとする課題】
【０００４】
しかし、特許文献１に開示された技術は、例えばＮＴＳＣやｓＲＧＢ（Standard RGB）等の特定の色再現特性を持った画像出力装置を対象としている。従って、画像出力装置の色再現特性が前提とする基本色再現特性と異なる場合、出力される画像の色再現は必ずしも高品質になるとは限らない。例えば、補正された入力データの色再現範囲が出力装置の色再現範囲よりも狭い場合、出力装置の色再現範囲を十分に活かすことは出来ないといった問題がある。
【０００５】
また、特許文献１に開示された技術では、画像出力装置への出力動作の一つとしてマッピングデータを生成して画像データを補正している。従って、色再現特性が異なる複数の画像出力装置に対して同一の画像データを出力する場合には、その都度演算処理を行うことになり迅速な処理が阻害される。更に、複数の画像データについてそれぞれ個別の画像出力装置に出力する場合においても、同様な理由により処理に時間を要することになる。
【０００６】
本発明は、このような事情に鑑みてなされたものであり、色再現特性の異なる複数の画像出力装置に対して適切に補正された画像データを効率良く出力することのできる画像データ生成装置及び画像データ生成方法を提供することを目的とする。
【課題を解決するための手段】
【０００７】
上記課題を解決するための本発明は、画像を再生する複数の画像出力装置から、それぞれの色再現範囲に対応する情報を取得する色再現範囲情報取得部と、上記色再現範囲情報取得部が取得した情報を保持する色再現範囲情報保持部と、複数の色チャンネルを有する画像データを上記色再現範囲情報保持部に保持された複数の色再現範囲に対応する画像データに変換する画像変換部と、上記画像変換部にて変換された複数の画像データを一つの画像ファイルとして記憶する画像ファイル記憶部と、を備えた画像データ生成装置である。
【０００８】
また本発明は、上記記載の発明である画像データ生成装置において、上記画像ファイルは、ｓＲＧＢ（Standard RGB）規格に準じた画像データをＥｘｉｆ規格に準じたフォーマットで記録した主画像データと、その他の規格に準じた画像データである副画像データを有する。
【０００９】
また本発明は、上記記載の発明である画像データ生成装置において、上記画像出力装置は画像を表示する機能、又は画像を印刷する機能を有する。
【００１０】
また本発明は、複数の画像出力装置から、色再現範囲情報取得部によりそれぞれの色再現範囲に対応する情報を取得するステップと、上記色再現範囲情報取得部が取得した情報を色再現範囲情報保持部に保持するステップと、複数の色チャンネルを有する画像データを、画像変換部により上記色再現範囲情報保持部に保持された複数の色再現範囲に対応する画像データに変換する画像変換ステップと、上記画像変換部にて変換された複数の画像データを一つの画像ファイルとして画像ファイル記憶部に記憶するステップと、を備えた画像データ生成方法である。
【発明の効果】
【００１１】
本発明によれば、色再現特性の異なる複数の画像出力装置に対して適切に補正された画像データを効率良く出力することのできる画像データ生成装置及び画像データ生成方法を得ることができる。
【発明を実施するための最良の形態】
【００１２】
［第１の実施の形態］  
図１は、本発明の実施の形態に係る画像データ生成装置（以下、画像生成装置という。）を備えた画像生成・再生システムの構成を示す図である。  
画像生成・再生システムは、撮像装置１０、画像生成装置２０、画像再生装置３０、及び複数の画像出力装置４０を備えている。この画像生成・再生システムに設けられた各装置の構成と動作について説明する。
【００１３】
図２は、撮像装置１０の構成を示す図である。  
この撮像装置１０では、ＣＰＵ１が装置内の各部を統括して制御する。図２では、実線の矢印がデータの流れを表し、破線の矢印が制御の流れを表している。
【００１４】
被写体からの光は、レンズ及び絞りからなる光学系２を介してレンズ背面に設置された撮像部３で受光される。撮像部３は、例えばＣＣＤ等の光電変換素子で構成され、被写体像をアナログの電気信号に変換する。変換されたアナログの電気信号は、アナログ増幅器（Ａ−ＡＭＰ）４によりゲイン調整された後、アナログデジタル変換器（ＡＤＣ）５によってデジタルデータである画像データに変換される。そして、変換されたデジタルデータは、一旦ＤＲＡＭ６に保存される。
【００１５】
続いて、画像処理ブロック７がＤＲＡＭ６から画像データを読み出してＪＰＥＧ等の圧縮処理を含む画像処理を施し所定の撮影情報を作成してＤＲＡＭ６に書き戻す。また、ユーザが操作部９を介して画像データの送信を指示したときは、画像処理ブロック７は、画像処理後のＲＡＷデータと撮影情報とを出力部８を介して画像生成装置２０に受け渡す。  
なお、撮像装置１０から画像生成装置２０へのＲＡＷデータ及びヘッダ情報の受け渡しは、通信手段に限られず、記録媒体（不図示）を介して行っても良い。
【００１６】
図３は、画像生成装置２０の構成を示す図である。  
画像生成装置２０は、入力部２１、画像処理部２２、ヘッダ情報生成部２３、画像記録部２４、カスタムリスト記憶部２５、及び入出力部２６から構成される。  
入力部２１は、撮像装置１０からのＲＡＷデータ及び撮影情報を受け入れる。画像処理部２２は、ＲＡＷデータを複数の色域情報に基づいて画像処理して複数の画像を生成する。この際、カスタムリスト記憶部２５に記憶されているカスタムリスト（後述）には生成する画像の色域情報が記録されている。
【００１７】
ヘッダ情報生成部２３は、撮影情報に基づいて、これら生成された複数の画像に対応するヘッダ情報を生成し、画像とヘッダ情報とをマルチ画像ファイル（後述）に格納して画像記録部２４に記録する。入出力部２６は、マルチ画像ファイルを画像再生装置３０に受け渡す。また、入出力部２６は、画像再生装置３０より、画像出力装置４０の出力色域情報を受け取りカスタムリスト記憶部２５にあるカスタムリストに格納する。
【００１８】
図４は、画像再生装置３０の構成を示す図である。  
画像再生装置３０には、入出力部３１、画像記録部３２、出力色域情報取得部３３、最適画像抽出部３４、画像再生部３５、入出力部３６、画像色域情報取得部３７が設けられている。
【００１９】
入出力部３１は、画像生成装置２０からマルチ画像ファイルを受け取って画像記録部３２に格納する。画像色域情報取得部３３は、マルチ画像ファイルから各画像の色域情報である画像色域情報を取得する。出力色域情報取得部３７は、入出力部３６を介して画像出力装置４０の色域情報である出力色域情報を取得する。
【００２０】
最適画像抽出部３４は、マルチ画像ファイルから各画像の画像色域情報の内、画像出力装置４０の出力色域情報に対応する最適な画像色域情報を決定し、その画像色域情報をもつ画像データを抽出する。画像再生部３５は、抽出された画像データを画像出力装置４０用のデータに変換し、入出力部３６を介して画像の再生動作を制御する。  
また出力色域情報取得部３７は、受け取った画像出力装置４０の出力色域情報を、入出力部３１を介して画像生成装置２０に受け渡す。画像生成装置２０では、上述のように渡された出力色域情報をカスタムリストに記録する。
【００２１】
図５は、画像出力装置４０の内、モニタ／プロジェクタ４０ａの構成を示す図である。  
モニタ／プロジェクタ４０ａは、画像表示部４１及び固有情報保持部４２を備えている。画像表示部４１は、画像再生装置３０からのＲＧＢデータに基づいて表示動作を実行する。固有情報保持部４２は、モニタ／プロジェクタ４０ａの固有情報であるＲＧＢの出力色域情報を保持し、求めに応じて画像再生装置３０に受け渡す。
【００２２】
図６は、画像出力装置４０の内、プリンタ４０ｂの構成を示す図である。  
プリンタ４０ｂは、ＲＧＢ−ＣＭＹ変換部４３、プリントヘッド部４４及び固有情報保持部４５を備えている。ＲＧＢ−ＣＭＹ変換部４３は、画像再生装置３０からのＲＧＢデータをＣＭＹＫデータに変換する。プリントヘッド部４４は、供給されるＣＭＹＫデータに基づいて媒体に画像を印字する。固有情報保持部４５は、プリンタ４０ｂの固有情報である出力色域情報を保持し、求めに応じてＲＧＢの出力色域情報として画像再生装置３０に受け渡す。
【００２３】
続いて、画像生成・再生システムの動作について詳細に説明する。  
図７は、画像再生装置３０が画像出力装置４０から出力色域情報を取得する手順を示すフロー図である。
【００２４】
ステップS０１において、出力色域情報取得部３７は、出力装置４０の固有情報表示部４２、４５より出力色域情報の取得動作を実行する。ここで、複数の出力装置４０が画像再生装置３０に接続されているときは、接続されている全ての出力装置４０について出力色域情報の取得動作を実行する。ステップS０２において、出力色域情報が取得されたかどうかを調べる。
【００２５】
ステップS０２でＹｅｓの場合、即ち出力色域情報が取得された場合はステップＳ０４の手順を実行する。  
ステップS０２でＮｏの場合、即ち出力色域情報が少なくとも１つ取得できなかった場合は、ステップＳ０３において、ユーザに対して取得できなかった出力装置４０を明示してその出力色域情報を入力するように求める。ユーザは、不図示の操作部より当該出力装置４０の出力色域情報を手入力する。この手入力は、予め定めて記憶した複数の出力色域情報の一つを指定することで入力するものであっても良い。また、ユーザは、当該出力装置４０の出力色域情報を入力しないと拒否することも可能である。この場合は、後述するようにデフォルト処理が実行される。  
ステップＳ０４において、出力色域情報取得部３７は、取得した出力色域情報を画像生成装置２０に受け渡して、カスタムリスト記憶部２５のカスタムリストに記録させる。  
この手順によってカスタムリストには、画像再生装置３０に接続している出力装置４０の出力色域情報が記載されるが、既に登録されている異なる出力色域情報は消去されない。即ち、カスタムリストには過去に画像再生装置３０に接続したことのある出力装置４０の出力色域情報が保存されている。
【００２６】
図８は、画像生成装置２０が、撮影された画像データからマルチ画像ファイルを生成する手順を示すフロー図であり、図９は、マルチ画像ファイルを生成するデータの関連を示す図である。図８及び図９を参照しつつ説明する。
【００２７】
ステップＳ１０において、画像生成装置２０は、撮像装置１０が撮影したＲＡＷデータと撮影情報とを取得する。ステップＳ１１において、画像処理部２２は、ｓＲＧＢ色域情報に基づいて主画像を生成し、AdobeＲＧＢ色域情報に基づいて副画像を生成する。そして、さらにカスタムリストに登録されている出力色域情報に基づいて副画像を生成する。
【００２８】
図９では、デフォルト色域情報として、ｓＲＧＢ色域情報とAdobeＲＧＢ色域情報とが設定され、カスタムリストには、５種類の出力装置４０に対応した出力色域情報が登録されている。  
カスタムリストに登録されている出力色域情報としては次のものを含んでいる。Ｗｘ：白色点の色度ｘ、Ｗｙ：白色点の色度ｙ、Ｒｘ：赤の色度ｘ、Ｒｙ：赤の色度ｙ、Ｇｘ：緑の色度ｘ、Ｇｙ：緑の色度ｙ、Ｂｘ：青の色度ｘ、Ｂｙ：青の色度ｙ。  
図９では、画像生成装置２０は、１つの主画像と６つの副画像を生成し、ＪＰＥＧ方式により圧縮する。
【００２９】
ステップＳ１２において、ヘッダ情報生成部２３は、副画像群の画像色域情報と画像展開のために必要な情報をヘッダ情報として生成する。  
図９では、画像展開に必要な情報として画像サイズ、圧縮方式及び撮影情報を含み、副画像の色域情報としてデフォルト色域情報と、カスタムリストに登録されている出力色域情報とが設定されている。
【００３０】
ステップＳ１３において、画像記録部２４は、生成した主画像、副画像群とヘッダ情報とを１つのマルチ画像ファイルとして保存する。
【００３１】
次に、マルチ画像ファイルについて説明する。このマルチ画像ファイルの構成要素はＪＰＥＧファイルと類似の構成を備えている。
【００３２】
図１０は、ＪＰＥＧファイルの構成を示す図である。  
ＪＰＥＧファイルは、一般には、ＳＯＩ（Start Of Image）からＥＯＩ（End Of Image）の間に、ＪＰＥＧヘッダの領域と画像の本体部分となるＪＰＥＧ画像データ領域とを備えている。
【００３３】
ＪＰＥＧヘッダには、例えば撮影時のカメラの設定情報、撮影条件、また撮影画像の縮小画像であるサムネイル等が記録されたＥｘｉｆデータが存在している。
【００３４】
Ｅｘｉｆデータは、アプリケーション層であるＡＰＰ１セグメントで規定されている。内部には、Ｅｘｉｆヘッダ、ＴＩＦＦヘッダ、０ｔｈ  ＩＦＤ（Image File Directory）、Ｅｘｉｆ  ＩＦＤ、及び１ｓｔ  ＩＦＤが記録されている。  
ＥｘｉｆヘッダはＥｘｉｆ識別コードを備えている。０ｔｈ  ＩＦＤには、主画像に関する情報が記憶されている。Ｅｘｉｆ  ＩＦＤには、カメラ撮影情報が格納されている。１ｓｔ  ＩＦＤにはサムネイルに関する情報が記録されている。そして、ＴＩＦＦヘッダは、データの記録形式や０ｔｈ  ＩＦＤへのオフセット情報を記録している。
【００３５】
マルチ画像ファイルは、複数の画像を一つのファイルとして扱うファイル構造（以下、マルチ画像構造という。）を備えている。  
図１１は、マルチ画像ファイルのマルチ画像構造とＪＰＥＧ構造との比較を示す図である。マルチ画像構造では、複数の画像はそれぞれ通常のＪＰＥＧ構造と同様にＳＯＩからＥＯＩまでのデータ構造を有している。即ち、単体としてもＪＰＥＧ画像として成り立つ構造が一つのファイルとしてまとめられているものである。
【００３６】
マルチ画像構造１２０では、先頭の画像（以下、主画像）に続き、関連する複数の画像（以下、副画像）が連続的に記録される。ここで、主画像が記録される領域を主画像領域１２０ａ、複数の副画像が記録される領域を副画像領域１２０ｂと呼ぶ。
【００３７】
このように主画像領域１２０ａが、通常のＪＰＥＧ構造と同一の構成をしているため、マルチ画像ファイルをマルチ画像構造に対応していない表示システムに適用した場合であっても、主画像に関しては通常のＪＰＥＧ画像として表示することが可能である。
【００３８】
図１２は、生成されたマルチ画像ファイルとデータとの対応を示す図である。  
画像ファイルにある主画像（ｓＲＧＢ）のＪＰＥＧ画像がマルチ画像ファイルの主画像領域１２０ａにある「ｓＲＧＢ  ＪＰＥＧ」に格納され、副画像１〜６のＪＰＥＧ画像がそれぞれマルチ画像ファイルの副画像領域１２０ｂにある「副画像（１）〜（６）  ＪＰＥＧ」に格納される。
【００３９】
また、ファイルヘッダにある６つの副画像の色域情報がマルチ画像ファイルの主画像領域１２０ａにある「ｓＲＧＢ  ＪＰＥＧ」に格納され、ファイルヘッダにある画像展開に必要な情報及びＥｘｉｆ情報が、マルチ画像ファイルの主画像領域１２０ａにある「ｓＲＧＢ画像ヘッダ」と、マルチ画像ファイルの副画像領域１２０ｂにある「副画像（１）〜（６）画像ヘッダ」にそれぞれ格納される。
【００４０】
図１３は、画像再生装置３０がマルチ画像ファイルに基づいて画像出力装置４０に出力データを受け渡す画像再生手順を示すフロー図である。  
なお、画像再生装置３０は、マルチ画像ファイルのみでなく汎用の画像ファイルから出力データを抽出する機能も備えている。
【００４１】
ステップＳ２０において、画像記録部３２から画像ファイルが読み出される。ステップＳ２１において、読み出された画像ファイルが本システム固有のファイルフォーマットをもつかどうか、即ちマルチ画像フォーマットかどうかを調べる。
【００４２】
ステップＳ２１でＹｅｓの場合、即ち画像ファイルがマルチ画像ファイルである場合、ステップＳ２２において、画像色域情報取得部３３は、マルチ画像ファイルの主画像領域１２０ａの副画像色域情報から、副画像群の画像色域情報を抽出する。
【００４３】
次に、ステップＳ２３において、出力先の画像出力装置４０の固有情報保持部４２、４５より出力色域情報の取得動作を実行する。そして、ステップＳ２４において、出力色域情報が取得されたかどうかを調べる。
【００４４】
ステップS２４でＹｅｓの場合、即ち出力色域情報が取得された場合はステップＳ２６の手順を実行する。  
ステップS２４でＮｏの場合、即ち当該出力装置４０について色域情報が取得できなかった場合は、ステップＳ２５において、ユーザに対して出力色域情報が取得できなかったことを明示してその出力色域情報を入力するように求める。ユーザは、不図示の操作部より当該出力装置４０の出力色域情報を手入力する。このとき予め定めて記憶した複数の出力色域情報の一つを指定するものであっても良い。また、ユーザは、当該出力装置４０の出力色域情報を入力しないと拒否することも可能である。
【００４５】
ステップＳ２６において、出力色域情報が存在するかどうかを調べる。ステップＳ２６でＮｏの場合、即ちユーザが当該出力装置４０の出力色域情報の入力を拒否した場合、出力すべき画像として主画像を抽出する。
【００４６】
ステップＳ２６でＹｅｓの場合、即ち出力装置４０の出力色域情報が特定されていた場合、ステップＳ２８において、最適画像抽出部３４は、出力色域情報と画像色域情報とに基づいて、最も表示機器４０の色域に近い画像を抽出する。  
ここで、最適な画像を抽出する手法として、色空間において出力色域情報と画像色域情報との距離を求め、最も近い距離にある画像色域情報から画像を抽出しても良い。また、抽出する画像は、画像出力装置４０の色域よりも高画質の画像であることが望ましいのでそのような基準を設けても良い。当該画像出力装置４０の能力を十分に発揮できるようにするためである。
【００４７】
そして、ステップＳ２９において、画像再生部３５が、抽出された画像データを画像出力装置４０に出力する。
【００４８】
一方、ステップＳ２１でＮｏの場合、即ち画像ファイルがマルチ画像ファイルでない場合、ステップＳ３０において、汎用の画像ファイルフォーマットであるとして画像の伸張処理を実行する。  
ステップＳ３１でＮｏの場合、即ち画像の抽出（伸張）ができなかった場合はエラーとして処理する。ステップＳ３１でＹｅｓの場合、即ち画像を抽出できた場合は、ステップＳ２９において、画像再生部３５が、抽出された画像データを画像出力装置４０に出力する。
【００４９】
図１４は、画像出力装置４０が画像を出力する手順を示すフロー図である。  
ステップＳ４０において、画像出力装置４０は、自身がプリンタかどうかを判断する。
【００５０】
ステップＳ４０でＹｅｓの場合、即ちプリンタでなければ、ステップＳ４１において、画像表示部４１がＲＧＢデータに基づいて画像を表示する。  
ステップＳ４０でＮｏの場合、即ちプリンタである場合は、ステップＳ４２において、ＲＧＢ−ＣＭＹＫ変換部４３がＲＧＢをＣＭＹＫに変換し、ステップＳ４３において、プリントヘッド部４４がＣＭＹＫデータに基づいて画像を印刷する。
【００５１】
[実施の形態の効果]  
以上説明した実施の形態では、種々の効果を得ることができる。
【００５２】
（１）撮像装置において、撮像部で撮像された被写体のＲＡＷデータをもとに画像処理部にてｓＲＧＢに準拠した画像を生成する。それに続いて少なくともカスタムリストに記録されている色域を含み、かつｓＲＧＢ以外の標準的な色域（ＡｄｏｂｅＲＧＢ等）について、それぞれの色域に最適化された画像を生成する。
【００５３】
そして、上述のカスタムリストには、画像生成装置が画像再生装置を介して画像出力装置と接続されているときに、画像出力装置の固有情報保持部より抽出された出力色域情報が記録されている。また、画像出力装置より出力色域情報が取得できない場合には、出力色域情報を手入力によってカスタムリストへ登録することが可能である。これにより、使用者の画像表示装置の色域に最適化した画像を生成することが可能となる。
【００５４】
（２）画像出力装置の固有情報保持部から読み出される出力色域情報は、白色点、赤、緑、青というＲＧＢの色空間である。したがって、本装置で扱う画像データと同様であるため都合が良い。しかしながら、画像出力装置にはモニタやプロジェクタに代表されるＲＧＢを扱う装置の他に、プリンタなどのＣＭＹＫを扱う装置もある。この場合、プリンタのＣＭＹＫの色域に包含される所定のＲＧＢ色空間をプリンタの出力色域情報としてプリンタ側に持たせる。これにより、他のＲＧＢ空間の装置の色域情報と形式の共通化を図る。また、プリンタ側にＲＧＢ−ＣＭＹＫ変換部を備えることにより、ＲＧＢの画像データをそのままプリンタ側に出力することができる。これらのことから、画像再生装置にて複雑な処理を行なう必要が無くなる。従って、色域が変換できないような貧弱な再生装置であっても負担をかけずに表示装置の色域を有効に活用できる画像を表示することができる。
【００５５】
（３）また、ＩＣＣプロファイルを用いたカラーマッチングのように出来上がった画に対して補正処理を行なうものではなく、色域に合わせて画像を生成するため色や階調に歪が生じにくいという利点を備える。
【００５６】
（４）さらに、マルチ画像ファイルは、ｓＲＧＢ（Standard RGB）規格に準じた画像データをＥｘｉｆ規格に準じたフォーマットで記録した主画像データと、その他の規格に準じた画像データである副画像データを有している。  
スタンダードなｓＲＧＢ規格に準じた画像データを、標準規格のＥｘｉｆ規格に準じたフォーマットの主画像データとして記録することにより、マルチ画像ファイルに対応していないアプリであっても主画像データのみは読み込むことが可能であり、しかも、この主画像データはスタンダードなｓＲＧＢ規格の画像データであるので、どのようなアプリであっても画像データの読み込みに失敗する確率が低い。
【００５７】
図１５は、従来のカラーマッチング技術に基づく画像生成装置及び画像再生装置の構成を示す図である。  
従来では、画像毎に画像ファイルが生成されているため、画像生成装置は１つの画像データを生成し、画像再生装置がその画像データを画像出力装置に適合するように変換して出力していた。
【００５８】
このため、画像生成装置で生成する画像データの画質が、画像出力装置で出力可能な画質よりも低画質であった場合は、画像再生装置がいかに補正したとしても適切な画像を出力するとはいえない。  
また、画像再生装置は出力の都度、画像データを変換するため応答性に欠けることとなっていた。これは複数の画像出力装置に出力する場合に特に顕著となる点である。
【００５９】
本実施の形態では、複数の色域情報に対応した画像を１ファイルに納めた画像ファイルを構成する。この結果、画像出力装置に適した画質の画像を常に提供することができ、また画像出力装置に対して効率的に提供することができる。
【００６０】
なお、本実施の形態で示した画像生成装置２０及び画像再生装置３０は、それぞれ独立して構成するのみでなく、その機能を適宜分離、統合して使用することができる。
【００６１】
図１６は、画像生成装置２０及び画像再生装置３０の構成例を示す図である。  
撮像装置１０は、デジタルカメラの一機能として構成し、画像生成装置２０及び画像再生装置３０は、パーソナルコンピュータ（ＰＣ）で稼動するそれぞれのアプリケーションソフトウエアとすることができる。この構成では、カメラとＰＣとの間の画像データは、本実施の形態にあるようにＲＡＷデータを用いる。  
そして、画像生成装置２０及び画像再生装置３０で構成される装置を新たな画像再生装置あるいは画像生成装置としても良い。
【００６２】
図１７は、画像生成装置２０及び画像再生装置３０の他の構成例を示す図である。  
撮像装置１０と画像生成装置２０は、デジタルカメラの一機能として構成し、画像再生装置３０は、パーソナルコンピュータ（ＰＣ）で稼動するアプリケーションソフトウエアあるいは専用の再生装置とすることができる。この構成では、カメラとＰＣとの間の画像データは、マルチ画像ファイルの画像データを用いる。
【００６３】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００６４】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００６５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６６】
【図１】本発明の実施の形態に係る画像データ生成装置を備えた画像生成・再生システムの構成を示す図。
【図２】撮像装置の構成を示す図。
【図３】画像生成装置の構成を示す図。
【図４】画像再生装置の構成を示す図。
【図５】画像出力装置の内、モニタ／プロジェクタの構成を示す図。
【図６】画像出力装置の内、プリンタの構成を示す図。
【図７】画像再生装置が画像出力装置から出力色域情報を取得する手順を示すフロー図。
【図８】画像生成装置が、撮影された画像データからマルチ画像ファイルを生成する手順を示すフロー図。
【図９】マルチ画像ファイルを生成するデータの関連を示す図。
【図１０】ＪＰＥＧファイルの構成を示す図。
【図１１】マルチ画像ファイルのマルチ画像構造とＪＰＥＧ構造との比較を示す図。
【図１２】生成されたマルチ画像ファイルとデータとの対応を示す図。
【図１３】画像再生装置がマルチ画像ファイルに基づいて画像出力装置に出力データを受け渡す画像再生手順を示すフロー図。
【図１４】画像出力装置が画像を出力する手順を示すフロー図。
【図１５】カラーマッチング技術に基づく画像生成装置及び画像再生装置の構成を示す図。
【図１６】画像生成装置及び画像再生装置の構成例を示す図。
【図１７】画像生成装置及び画像再生装置の他の構成例を示す図。
【符号の説明】
【００６７】
１…ＣＰＵ、２…光学系、３…撮像部、９…操作部、１０…撮像装置、２０…画像生成装置、２２…画像処理部、２３…ヘッダ情報生成部、２４…画像記録部、２５…カスタムリスト記憶部、３２…画像記録部、３３…出力色域情報取得部、３３…画像色域情報取得部、３４…最適画像抽出部、３５…画像再生部、３７…画像色域情報取得部、３７…出力色域情報取得部、４０…画像出力装置、４０ａ…プロジェクタ、４０ｂ…プリンタ、４２…固有情報保持部、４４…プリントヘッド部、４５…固有情報保持部、１２０…マルチ画像構造、１２０ａ…主画像領域、１２０ｂ…副画像領域。
【図１】
2009177610.tif 000003
【図２】
2009177610.tif 000004
【図３】
2009177610.tif 000005
【図４】
2009177610.tif 000006
【図５】
2009177610.tif 000007
【図６】
2009177610.tif 000008
【図７】
2009177610.tif 000009
【図８】
2009177610.tif 000010
【図９】
2009177610.tif 000011
【図１０】
2009177610.tif 000012
【図１１】
2009177610.tif 000013
【図１２】
2009177610.tif 000014
【図１３】
2009177610.tif 000015
【図１４】
2009177610.tif 000016
【図１５】
2009177610.tif 000017
【図１６】
2009177610.tif 000018
【図１７】
2009177610.tif 000019